(57)【要約】【課題】  利用者による演奏を録音してその録音された演奏録音を好適に再生し得る音楽再生装置を提供する。【解決手段】  利用者による演奏を録音する録音部６０と、その演奏の録音時にその録音部６０の入力増幅率Ｖｄを変更する入力増幅率変更手段６８と、演奏録音の再生時に前記録音部６０の出力増幅率Ｖｅを変更する出力増幅率変更手段７０とを、含むことから、煩雑な手動の音量調節を行うことなく、録音された演奏録音を録音時と同じ音量で聞くことができる。すなわち、利用者による演奏を録音してその録音された演奏録音を好適に再生し得るカラオケ装置１０を提供することができる。【選択図】  図４
2006184684.tif 000002
【特許請求の範囲】
【請求項１】
複数の演奏曲のうちから選択された所望の演奏曲を出力させると共に、利用者による演奏を録音してその録音された演奏録音を再生し得る音楽再生装置であって、
前記演奏を録音する録音部と、
該演奏の録音時に該録音部の入力増幅率を変更する入力増幅率変更手段及び／又は前記演奏録音の再生時に前記録音部の出力増幅率を変更する出力増幅率変更手段と
を、含むことを特徴とする音楽再生装置。
【請求項２】
音源により生成される前記演奏音の音量を調節する演奏音音量調節部と、
音声入力装置から入力される音声の音量を調節する音声音量調節部と、
前記演奏音音量調節部により音量が調節された演奏音と音声音量調節部により音量が調節された音声とを合成する合成部と
を、備え、
前記録音部は、前記合成部により合成された合成音を前記演奏として録音するものである請求項１の音楽再生装置。
【請求項３】
前記演奏録音の再生時において前記録音部から出力される再生信号を前記演奏音音量調節部及び音声音量調節部の何れか一方へ入力させるための切換装置を含み、該演奏音音量調節部及び音声音量調節部の何れか一方は、前記演奏録音の再生時に該演奏録音の音量を調節する演奏録音音量調節部として機能するものである請求項２の音楽再生装置。
【請求項４】
前記入力増幅率変更手段は、前記演奏録音音量調節部の音量設定値に応じて前記演奏の入力増幅率を変更するものである請求項３の音楽再生装置。
【請求項５】
前記出力増幅率変更手段は、前記演奏の録音時における前記演奏録音音量調節部の音量設定値に応じて該演奏録音の出力増幅率を変更するものである請求項３又は４の音楽再生装置。
【請求項６】
前記入力増幅率変更手段及び出力増幅率変更手段は、前記入力増幅率と出力増幅率との積が前記演奏音音量調節部の増幅率の逆数と等しくなるように前記演奏の入力増幅率及び前記演奏録音の出力増幅率を制御するものである請求項５の音楽再生装置。
【発明の詳細な説明】
【技術分野】
【０００１】
本発明は、利用者による演奏を録音してその録音された演奏録音を再生し得る音楽再生装置の改良に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報を含む映像をその出力に同期して画面に表示させることで、所望の歌のカラオケ演奏を楽しむことができる。
【０００３】
一般的なカラオケ装置では、シンセサイザ等の音源により生成される演奏音の音量と、マイクロフォン等の音声入力装置から入力される利用者の音声の音量とがそれぞれ個別の音量調節つまみ等により手動で調節される。それらの音量調節を自動的に行う技術が提案されている。例えば、特許文献１に記載されたカラオケ装置がそれである。このカラオケ装置によれば、曲の演奏が終了する毎に演奏音の音量を予め定められた所定値に戻すと共に、マイクロフォンから入力される利用者の音声の出力レベルが所定値を超えた場合に自動的にマイクアンプのゲインを低下させることにより、煩雑な手動の音量調節を行うことなく好適に演奏を楽しむことができる。
【０００４】
【特許文献１】特開平５−１９７７７号公報
【０００５】
ところで、利用者による演奏を録音してその録音された演奏録音を再生し得るカラオケ装置が知られている。斯かるカラオケ装置では、音源により生成される演奏音と、音声入力装置から入力される利用者の音声とが合成（ミキシング）された演奏がハードディスク等の記憶装置に録音されるように構成されており、所望に応じてその録音された演奏録音の再生が可能とされている。
【０００６】
上記カラオケ装置では、通常、録音された演奏録音を再生する際にその演奏録音の音量を調節する演奏録音音量調節部として、音源により生成される演奏音の音量を調節する演奏音音量調節部及び音声入力装置から入力される音声の音量を調節する音声音量調節部の何れか一方が適用される。このため、録音された演奏録音を録音時と同じ音量で聞くためには、その何れかの音量調節部に対応する音量調節つまみを手動操作する必要があり煩雑であるという弊害があった。また、前記従来の技術では、斯かる音量調節を自動的に行うことはできなかった。すなわち、利用者による演奏を録音してその録音された演奏録音を好適に再生し得る音楽再生装置は、未だ提供されていないのが現状である。
【発明の開示】
【発明が解決しようとする課題】
【０００７】
本発明は、以上の事情を背景として為されたものであり、その目的とするところは、利用者による演奏を録音してその録音された演奏録音を好適に再生し得る音楽再生装置を提供することにある。
【課題を解決するための手段】
【０００８】
斯かる目的を達成するために、本発明の要旨とするところは、複数の演奏曲のうちから選択された所望の演奏曲を出力させると共に、利用者による演奏を録音してその録音された演奏録音を再生し得る音楽再生装置であって、前記演奏を録音する録音部と、前記演奏の録音時にその録音部の入力増幅率を変更する入力増幅率変更手段及び／又は前記演奏録音の再生時に前記録音部の出力増幅率を変更する出力増幅率変更手段とを、含むことを特徴とするものである。
【発明の効果】
【０００９】
このようにすれば、前記演奏を録音する録音部と、その演奏の録音時にその録音部の入力増幅率を変更する入力増幅率変更手段及び／又は前記演奏録音の再生時に前記録音部の出力増幅率を変更する出力増幅率変更手段とを、含むことから、煩雑な手動の音量調節を行うことなく、録音された演奏録音を録音時と同じ音量で聞くことができる。すなわち、利用者による演奏を録音してその録音された演奏録音を好適に再生し得る音楽再生装置を提供することができる。
【００１０】
ここで、好適には、音源により生成される前記演奏音の音量を調節する演奏音音量調節部と、音声入力装置から入力される音声の音量を調節する音声音量調節部と、前記演奏音音量調節部により音量が調節された演奏音と音声音量調節部により音量が調節された音声とを合成する合成部とを、備え、前記録音部は、前記合成部により合成された合成音を前記演奏として録音するものである。このようにすれば、利用者による演奏を録音してその録音された演奏録音を好適に再生し得る実用的な態様の音楽再生装置を提供することができるという利点がある。
【００１１】
また、好適には、前記演奏録音の再生時において前記録音部から出力される再生信号を前記演奏音音量調節部及び音声音量調節部の何れか一方へ入力させるための切換装置を含み、その演奏音音量調節部及び音声音量調節部の何れか一方は、前記演奏録音の再生時にその演奏録音の音量を調節する演奏録音音量調節部として機能するものである。このようにすれば、前記音楽再生装置の構成を簡単にすることができるという利点がある。
【００１２】
また、好適には、前記入力増幅率変更手段は、前記演奏録音音量調節部の音量設定値に応じて前記演奏の入力増幅率を変更するものである。このようにすれば、実用的な態様で前記演奏の入力増幅率を設定でき、前記演奏録音を録音時と同じ音量で聞くことができるという利点がある。
【００１３】
また、好適には、前記出力増幅率変更手段は、前記演奏の録音時における前記演奏録音音量調節部の音量設定値に応じてその演奏録音の出力増幅率を変更するものである。このようにすれば、実用的な態様で前記演奏録音の出力増幅率を設定でき、その演奏録音を録音時と同じ音量で聞くことができるという利点がある。
【００１４】
また、好適には、前記入力増幅率変更手段及び出力増幅率変更手段は、前記入力増幅率と出力増幅率との積が前記演奏音音量調節部の増幅率の逆数と等しくなるように前記演奏の入力増幅率及び前記演奏録音の出力増幅率を制御するものである。このようにすれば、実用的な態様で前記演奏の入力増幅率及び前記演奏録音の出力増幅率を設定でき、その演奏録音を録音時と同じ音量で聞くことができるという利点がある。
【実施例】
【００１５】
以下、本発明の好適な実施例を図面に基づいて詳細に説明する。
【００１６】
図１は、本発明の音楽再生装置の一実施例であるカラオケ装置１０の構成を説明するブロック線図である。このカラオケ装置１０は、ＣＲＴ等の映像表示装置１２と、ディスクプレーヤ１４と、ビデオミキサ１６と、アンプミキサ１８と、スピーカ２０と、音声入力装置であるマイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、リモコン４４等の入力装置からのリモコン信号を受信するためのリモコン受信部４２とを、備えて構成されている。
【００１７】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、所定のカラオケ演奏曲が選曲された場合、上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送ったり、上記ディスクプレーヤ１４を制御して所定の背景映像を再生させる等の基本的な制御に加えて、後述する演奏録音・再生制御を実行する。
【００１８】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作釦（スイッチ）或いはつまみを備えた入力装置である。また、前記カラオケ装置１０には、前記操作パネル２４の一部機能を遠隔で実行するための入力装置として機能するリモコン４４が備えられており、前記リモコン受信部４２は、そのリモコン４４から送信されるリモコン信号を受信して前記ＣＰＵ２６へ供給する。
【００１９】
前記ディスクプレーヤ１４は、利用者が歌詞を参照しながら歌を歌う際に前記映像表示装置１２に表示される背景映像を記憶したＣＤやＤＶＤを再生する背景映像再生装置である。また、前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記ディスクプレーヤ１４により再生される背景映像とを合成して前記映像表示装置１２に表示させる映像合成装置である。
【００２０】
前記シンセサイザ４０は、前記ハードディスク３２から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式で圧縮されたＭＩＤＩデータであり、そのＭＩＤＩデータに応じて前記シンセサイザ４０により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。
【００２１】
前記ハードディスク３２には、選曲番号により識別される複数のカラオケ演奏曲それぞれのタイトル情報、演奏情報、及び歌詞情報等を記憶するカラオケデータベースが設けられている。前記モデム３４は、前記カラオケ装置１０を公衆電話回線、有線放送用ケーブル、又は光ファイバ等による通信回線４６に接続するための装置である。カラオケボックス等の店舗にそれぞれ備えられた複数のカラオケ装置１０は、上記通信回線４６を介して図示しないカラオケサービス提供会社のホストサーバに接続されており、それら複数のカラオケ装置１０によって常に新しい曲が演奏可能とされるように、随時新曲のカラオケ情報等が上記通信回線４６を介してダウンロードされ、前記ハードディスク３２のカラオケデータベース等に記憶されるようになっている。すなわち、前記カラオケ装置１０は、電気通信回線を通じて各種情報の送受信を実行し得る通信カラオケ装置である。
【００２２】
図２は、前記アンプミキサ１８の構成を詳しく説明する図である。この図２に示すように、前記アンプミキサ１８は、音源である前記シンセサイザ４０により生成される前記演奏音の音量を調節する演奏音音量調節部４８と、音声入力装置である前記マイクロフォン２２から入力される音声を増幅するマイクアンプ５０と、そのマイクアンプ５０により増幅された音声の音量を調節する音声音量調節部５２と、上記演奏音音量調節部４８により音量が調節された演奏音と音声音量調節部５２により音量が調節された音声とを合成する合成部５４と、その合成部５４により合成された合成音の音量を調節する合成音音量調節部５６と、その合成音音量調節部５６により音量が調節された合成音を増幅して前記スピーカ２０から出力するパワーアンプ５８と、を備えて構成されている。上記演奏音音量調節部４８、音声音量調節部５０、及び合成音音量調節部５６それぞれの音量設定値は、例えば、前記操作パネル２４に設けられた図示しないミュージックボリュームつまみ、マイクボリュームつまみ、及びメインボリュームつまみにより調節可能とされている。
【００２３】
以上のように構成されたアンプミキサ１８では、前記シンセサイザ４０により生成される前記演奏音が上記演奏音音量調節部４８においてミュージックボリュームに対応する音量となるように制御された後、前記合成部５４に供給される。また、前記マイクロフォン２２から入力される音声が上記マイクアンプ５０により一般的な信号レベルに変換され、上記音声音量調節部５２においてマイクボリュームに対応する音量となるように制御された後、前記合成部５４に供給される。そして、上記演奏音音量調節部４８から供給される演奏音と音声音量調節部５２から供給される音声とが上記合成部５４により合成され、上記合成音音量調節部５６においてメインボリュームに対応する音量となるように制御された後、上記パワーアンプ５８を介して前記スピーカ２０から出力される。ここで、上記マイクアンプ５０からの出力レベルをＡ、前記シンセサイザ４０からの出力レベルをＢ、上記音声音量調節部５２の増幅率をＶａ、上記演奏音音量調節部４８の増幅率をＶｂ、上記合成音音量調節部５６の増幅率をＶｃ、上記パワーアンプ５８の増幅率をＰＡとすると、前記スピーカ２０からの出力レベルは、次の（１）式のように表される。このように、所定の曲の演奏音とそれに合わせて入力される音声とが合成されて出力されることで、利用者が所望の歌のカラオケ演奏を楽しむことができる。
【００２４】
（Ａ×Ｖａ＋Ｂ×Ｖｂ）×Ｖｃ×ＰＡ      ・・・（１）
【００２５】
図３は、利用者による演奏を録音すると共にその録音された演奏録音を再生するための従来の構成を説明する図である。なお、この図３において、前述した図２と共通する部分に関しては、同一の符号を付してその説明を省略する。この図３に示すように、前記ハードディスク３２には、前記合成部５４により合成された前記演奏音及び音声の合成音すなわち利用者による演奏を録音するための録音部６０が形成されている。また、前記合成部５４により合成された合成音をその録音部６０に入力するための入力インターフェイス６２と、その録音部６０に記憶された演奏録音を前記演奏音音量調節部４８に出力するための出力インターフェイス６４とが設けられている。また、前記アンプミキサ１８は、前記シンセサイザ４０により生成される前記演奏音が前記演奏音音量調節部４８に供給される第１の回路と、上記録音部６０から出力される上記演奏録音が前記演奏音音量調節部４８に供給される第２の回路とを選択的に成立させる切換装置であるスイッチ６６を備えて構成されている。すなわち、前記演奏音音量調節部４８は、上記演奏録音の再生時にその演奏録音の音量を調節する演奏録音音量調節部として機能するものである。前記演奏音音量調節部４８により前記演奏録音の音量を調節する構成では、その演奏録音に前記マイクロフォン２２から入力される音声を合成することができ、例えば、曲の演奏音に合わせてハーモニーパートを歌った演奏を録音しておいて再生時にその演奏録音に合わせてメインパートを歌うカラオケ演奏や、逆に曲の演奏音に合わせてメインパートを歌った演奏を録音しておいて再生時にその演奏録音に合わせてハーモニーパートを歌うカラオケ演奏等が可能とされる。また、再生される演奏録音に合わせて前記マイクロフォン２２から音声を入力し、それを再度録音する態様も考えられる。
【００２６】
前記シンセサイザ４０により生成される前記演奏音が前記演奏音音量調節部４８に供給される第１の回路が成立させられている状態を考えると、例えば、前述した（１）式において、状態（イ）：Ｖａ＝Ｖｂ＝Ｖｃ＝０．５である場合には、前記スピーカ２０からの出力レベルは、（０．５Ａ＋０．５Ｂ）×０．５ＰＡ＝０．２５（Ａ＋Ｂ）ＰＡとなる。また、状態（ロ）：Ｖａ＝Ｖｂ＝０．２５、Ｖｃ＝１である場合には、前記スピーカ２０からの出力レベルは、（０．２５Ａ＋０．２５Ｂ）×ＰＡ＝０．２５（Ａ＋Ｂ）ＰＡとなる。すなわち、利用者の聴感上は何れも同じ音量として聞こえる。しかし、上記入力インターフェイス６２へ入力される音声レベルをＣとすると、状態（イ）である場合には、Ｃ＝０．５（Ａ＋Ｂ）となる一方、状態（ロ）である場合には、Ｃ＝０．２５（Ａ＋Ｂ）となり、聴感上の音量とは異なる音量で前記録音部６０に録音されることになる。また、前記録音部６０から出力される上記演奏録音が前記演奏音音量調節部４８に供給される第２の回路が成立させられている状態を考えると、前記スピーカ２０からの出力レベルは、前記出力インターフェイス６４における出力レベルをＤとして、次の（２）式のように表される。ここで、前記マイクロフォン２２から音声の入力がない（利用者が歌わない）場合では、Ａ＝０であることから、前記スピーカ２０からの出力レベルは、Ｄ×Ｖｂ×Ｖｃ×ＰＡとなる。そして、状態（イ）の演奏録音を録音時と同じ条件（音量設定）のまま再生すると、Ｄ×０．２５×０．２５×ＰＡ＝０．５（Ａ＋Ｂ）×０．２５×０．２５×ＰＡ＝０．１２５ＰＡとなり、録音時の半分の出力レベルとなってしまう。また、状態（ロ）の演奏録音を録音時と同じ条件（音量設定）のまま再生すると、Ｄ×０．２５×１×ＰＡ＝０．２５（Ａ＋Ｂ）×０．２５×１×ＰＡ＝０．０６７５ＰＡとなり、更に小さな出力レベルになってしまう。すなわち、図３に示すような従来の構成では、演奏録音を録音時と同じ音量で出力させるためには、その演奏録音の再生に際して前記演奏音音量調節部４８又は合成音音量調節部５６の音量設定値を変更する必要があった。
【００２７】
（Ａ×Ｖａ＋Ｄ×Ｖｂ）×Ｖｃ×ＰＡ      ・・・（２）
【００２８】
図４は、利用者による演奏を録音すると共にその録音された演奏録音を再生するために本実施例のカラオケ装置１０に備えられた構成を説明する図である。なお、この図４において、前述した図２、図３と共通する部分に関しては、同一の符号を付してその説明を省略する。この図４に示すように、本実施例のカラオケ装置１０は、前記ＣＰＵ２６の制御機能として、前記演奏の録音時に前記録音部６０の入力増幅率を変更する入力増幅率変更手段６８と、前記演奏録音の再生時に前記録音部６０の出力増幅率を変更する出力増幅率変更手段７０とを、備えて構成されている。ここで、上記入力増幅率変更手段６８における入力増幅率をＶｄ、上記出力増幅率変更手段７０における出力増幅率をＶｅとすると、前記録音部６０への入力レベルＣ’は、次の（３）式のように表される。また、前記出力インターフェイス６４における出力レベルＤ’は、次の（４）式のように表される。そして、上記入力増幅率変更手段６８及び出力増幅率変更手段７０によりレベル制御された演奏録音の前記スピーカ２０からの出力レベルは、次の（５）式のように表される。
【００２９】
（Ａ×Ｖａ＋Ｄ×Ｖｂ）×Ｖｄ      ・・・（３）
【００３０】
Ｄ×Ｖｅ＝Ｃ’×Ｖｅ
＝（Ａ×Ｖａ＋Ｄ×Ｖｂ）×Ｖｄ×Ｖｅ      ・・・（４）
【００３１】
Ｄ’×Ｖｂ×Ｖｃ×ＰＡ
＝（Ａ×Ｖａ＋Ｂ×Ｖｂ）×Ｖｄ×Ｖｅ×Ｖｂ×Ｖｃ×ＰＡ      ・・・（５）
【００３２】
前記入力増幅率変更手段６８及び出力増幅率変更手段７０は、前記演奏録音の再生出力レベルがが録音時の出力レベルと等しくなるように前記入力増幅率Ｖｄ及び出力増幅率Ｖｅを制御する。好適には、前記演奏の録音時における前記演奏録音音量調節部４８の音量設定値に応じてそれら入力増幅率Ｖｄ及び出力増幅率Ｖｅを制御する。更に好適には、次の（６）式に表されるように、前記入力増幅率Ｖｄと出力増幅率Ｖｅとの積が前記演奏録音音量調節部４８の増幅率Ｖｂの逆数と等しくなるようにそれら入力増幅率Ｖｄ及び出力増幅率Ｖｅを制御する。このようにすれば、前記スピーカ２０からの出力レベルは、次の（７）式のように表される。これはすなわち録音時の出力レベルと同一のものとなり、前記演奏録音を録音時と同じ音量で出力させることができる。ここで、（６）式の計算で用いられる増幅率Ｖｂは、前記演奏の録音に際しての値を用いる必要があり、好適には、前記演奏の録音時にその録音と共に前記録音部６０に記憶される。例えば、次の（８）式から前記演奏音音量調節部４８の増幅率Ｖｂ及び入力増幅率Ｖｄに応じて算出される出力増幅率Ｖｅの理想値がＶｅ用増幅率記録として時間情報と共に前記録音部６０に記憶される。また、好適には、演奏途中における音量設定値の変更も時間情報と共に前記録音部６０に記憶されることで、途中のボリューム変更にも対応することができる。
【００３３】
Ｖｄ×Ｖｅ＝１／Ｖｂ      ・・・（６）
【００３４】
（Ａ×Ｖａ＋Ｂ×Ｖｂ）×（１／Ｖｂ）×Ｖｂ×Ｖｃ×ＰＡ
＝（Ａ×Ｖａ＋Ｂ×Ｖｂ）×Ｖｃ×ＰＡ      ・・・（７）
【００３５】
Ｖｅ＝１（Ｖｂ×Ｖｄ）      ・・・（８）
【００３６】
前述の制御では、録音時にＶｄ＝１／Ｖｂとしてレベル制御を行い、再生時には常にＶｅ＝１とするのが最も簡単であるが、ＶｄはＶｂの減少に伴い増加させられるため、Ｖｄが所定値以上となる場合すなわちＶｂが所定値以下である場合には、歪みが発生して正常な演奏が録音できなくなる可能性がある。例えば、図５に示す時間範囲ｔ２乃至ｔ３のように、Ｖｂ＝０．３すなわち１／Ｖｂ≒３．３３となる場合には、Ｖｄ＝１／Ｖｂとすると、図６に示す歪限界Ｖｄ＝２．５０よりも大きくなる。また、録音時にＶｄを所定値としてレベル制御を行い、再生時にＶｂの逆数を用いてＶｅを制御することも考えられるが、Ｖｄが所定値未満となる場合すなわちＶｂが所定値より大きい場合には、ノイズも増幅されて信号雑音比Ｓ／Ｎが悪化する可能性がある。例えば、図５に示す時間範囲０乃至ｔ１のように、Ｖｂ＝０．８すなわち１／Ｖｂ＝１．２５となる場合には、Ｖｄ＝１／Ｖｂとすると、図６に示すＳ／Ｎ限界Ｖｄ＝１．５０よりも小さくなる。前記入力増幅率変更手段６８及び出力増幅率変更手段７０は、好適には、Ｖｂが所定の数値範囲内である場合には、Ｖｄ＝１／Ｖｂとしてレベル制御を行うと共に再生時にはＶｅ＝１とするが、Ｖｂが斯かる数値範囲外である場合には、Ｖｄを予め定められた値とするレベル制御を行うと共に再生時にはＶｂの逆数を用いてＶｅを制御する。例えば、前記演奏の録音時に前記演奏音音量調節部４８の増幅率Ｖｂ及びそれに応じて設定された入力増幅率Ｖｄに基づいて出力増幅率Ｖｅの理想値が算出され、図７に示すようなＶｅ用増幅率記録としてその演奏と共に前記録音部６０に記憶される。そして、前記演奏録音の再生時には、斯かるＶｅ用増幅率記録に応じて図８に示すように出力増幅率Ｖｅが制御される。
【００３７】
図９は、前記カラオケ装置１０のＣＰＵ２６による演奏録音・再生制御の要部を説明するフローチャートであり、所定の周期で繰り返し実行されるものである。
【００３８】
先ず、ステップ（以下、ステップを省略する）Ｓ１において、所定の演奏録音操作が行われたか否かが判断される。このＳ１の判断が否定される場合には、Ｓ４以下の処理が実行されるが、Ｓ１の判断が肯定される場合には、前記入力増幅率変更手段６８の動作に対応するＳ２において、ミュージックボリュームすなわち前記演奏録音音量調節部４８の音量設定値に応じて前記演奏の入力増幅率Ｖｄが設定される。次に、Ｓ３において、前記シンセサイザ４０により生成される演奏音及び前記マイクロフォン２２から入力される音声が前記合成部５４により合成され、前記入力増幅率変更手段６８によりレベル制御されて前記録音部６０に録音される。また、Ｖｅ用増幅率記録がその演奏と共に前記録音部６０に記憶される。次に、Ｓ４において、所定の演奏録音再生操作が行われたか否かが判断される。このＳ４の判断が否定される場合には、それをもって本ルーチンが終了させられるが、Ｓ４の判断が肯定される場合には、Ｓ５において、前記スイッチ６６が切り換えられて前記録音部６０から出力される前記演奏録音が前記演奏音音量調節部４８に供給される第２の回路が成立させられる。次に、前記出力増幅率変更手段７０の動作に対応するＳ６において、前記録音部６０に記憶されたＶｅ用増幅率記録が読み出されて前記演奏録音の出力増幅率Ｖｅが設定される。次に、Ｓ７において、前記録音部６０に記憶された演奏録音が読み出され、前記出力増幅率変更手段７０によりレベル制御されて出力された後、本ルーチンが終了させられる。
【００３９】
このように、本実施例によれば、前記演奏を録音する録音部６０と、その演奏の録音時にその録音部６０の入力増幅率Ｖｄを変更する入力増幅率変更手段６８（Ｓ２）と、前記演奏録音の再生時に前記録音部６０の出力増幅率Ｖｅを変更する出力増幅率変更手段７０（Ｓ６）とを、含むことから、煩雑な手動の音量調節を行うことなく、録音された演奏録音を録音時と同じ音量で聞くことができる。すなわち、利用者による演奏を録音してその録音された演奏録音を好適に再生し得るカラオケ装置１０を提供することができる。
【００４０】
また、音源であるシンセサイザ４０により生成される前記演奏音の音量を調節する演奏音音量調節部４８と、音声入力装置であるマイクロフォン２２から入力される音声の音量を調節する音声音量調節部５２と、前記演奏音音量調節部４８により音量が調節された演奏音と音声音量調節部５２により音量が調節された音声とを合成する合成部５４とを、備え、前記録音部６０は、前記合成部５４により合成された合成音を前記演奏として録音するものであるため、利用者による演奏を録音してその録音された演奏録音を好適に再生し得る実用的な態様のカラオケ装置１０を提供することができるという利点がある。
【００４１】
また、前記演奏録音の再生時において前記録音部６０から出力される再生信号を前記演奏音音量調節部４８へ入力させるための回路を成立させる切換装置であるスイッチ６６を含み、その演奏音音量調節部４８は、前記演奏録音の再生時にその演奏録音の音量を調節する演奏録音音量調節部として機能するものであるため、前記カラオケ装置１０の構成を簡単にすることができるという利点がある。
【００４２】
また、前記入力増幅率変更手段６８は、前記演奏録音音量調節部４８の音量設定値に対応する増幅率Ｖｂに応じて前記演奏の入力増幅率Ｖｄを変更するものであるため、実用的な態様で前記演奏の入力増幅率Ｖｄを設定でき、前記演奏録音を録音時と同じ音量で聞くことができるという利点がある。
【００４３】
また、前記出力増幅率変更手段７０は、前記演奏の録音時における前記演奏録音音量調節部４８の音量設定値に対応する増幅率Ｖｂに応じてその演奏録音の出力増幅率Ｖｅを変更するものであるため、実用的な態様で前記演奏録音の出力増幅率Ｖｅを設定でき、その演奏録音を録音時と同じ音量で聞くことができるという利点がある。
【００４４】
また、前記入力増幅率変更手段６８及び出力増幅率変更手段７０は、前記入力増幅率Ｖｄと出力増幅率Ｖｅとの積が前記演奏音音量調節部４８の増幅率Ｖｂの逆数と等しくなるように前記演奏の入力増幅率Ｖｄ及び前記演奏録音の出力増幅率Ｖｅを制御するものであるため、実用的な態様で前記演奏の入力増幅率Ｖｄ及び前記演奏録音の出力増幅率Ｖｅを設定でき、その演奏録音を録音時と同じ音量で聞くことができるという利点がある。
【００４５】
以上、本発明の好適な実施例を図面に基づいて詳細に説明したが、本発明はこれに限定されるものではなく、更に別の態様においても実施される。
【００４６】
例えば、前述の実施例において、前記演奏音音量調節部４８、音声音量調節部５２、合成部５４、合成音音量調節部５６、及びスイッチ６６等は、何れも前記アンプミキサ１８に含まれる構成であったが、これらはそれぞれ個別の装置として備えられるものであっても構わない。
【００４７】
また、前述の実施例において、前記録音部６０は、カラオケデータベースを含むハードディスク３２に形成されたものであったが、斯かる録音部６０として専用のハードディスクが設けられたものであってもよい。また、前記ＲＡＭ３０やフラッシュＲＯＭ等の記憶装置が用いられても構わない。更には、前記カラオケ装置１０に内蔵された装置ではなく、外付けの記憶装置が着脱可能に設けられる態様も考えられる。
【００４８】
また、前述の実施例では、前記入力増幅率変更手段６８及び出力増幅率変更手段７０による制御に関して、Ｖｂが所定の数値範囲内である場合には、Ｖｄ＝１／Ｖｂとしてレベル制御を行うと共に再生時にはＶｅを１とするが、Ｖｂが斯かる数値範囲外である場合には、Ｖｄを予め定められた値とするレベル制御を行うと共に再生時にはＶｂの逆数を用いてＶｅを制御する態様を説明したが、前記出力増幅率Ｖｅを所定値２とすることで、前記入力増幅率Ｖｄを１／Ｖｂ／２として規定値に収める制御を行ってもよい。
【００４９】
また、前述の実施例では、前記演奏音音量調節部４８が前記演奏録音の再生時にその演奏録音の音量を調節する演奏録音音量調節部として機能するものであったが、前記音声音量調節部５２が斯かる演奏録音音量調節部として機能する態様も考えられる。
【００５０】
また、前述の実施例では特に言及していないが、前記録音部６０に録音された演奏録音は、所定時間後に自動的に削除されるものであってもよいし、所定の操作が行われるまで記憶され続けるものであっても構わない。例えば、斯かる演奏録音が演奏パートの練習等に用いられることが想定される場合には、利用者が入れ替わる毎に前記録音部６０の内容が初期化されることが好ましい。また、前記演奏録音がオーディション等に用いられる場合には、所定期間記憶され続けることが好ましく、更には、前記通信回線４６を介して図示しないホストサーバ等へ送信される態様も考えられる。
【００５１】
また、前述の実施例では特に言及していないが、前記演奏音音量調節部４８、音声音量調節部５２、合成部５４、合成音音量調節部５６、及びスイッチ６６は、図４等において理解を容易にするためにアナログ記号で表されていたが、好適には専らディジタル処理により前記制御を行うものであり、機械的な構成であると機能的な構成であるとを問わない。また、前記入力増幅率変更手段６８による前記演奏の入力増幅率Ｖｄのレベル制御及び出力増幅率変更手段７０による前記演奏録音の出力増幅率Ｖｅのレベル制御は、ディジタル処理による制御であるとアナログ処理による制御であるとを問わない。
【００５２】
その他、一々例示はしないが、本発明はその趣旨を逸脱しない範囲内において種々の変更が加えられて実施されるものである。
【図面の簡単な説明】
【００５３】
【図１】本発明の音楽再生装置の一実施例であるカラオケ装置の構成を説明するブロック線図である。
【図２】図１のカラオケ装置におけるアンプミキサの構成を詳しく説明する図である。
【図３】利用者による演奏を録音すると共にその録音された演奏録音を再生するための従来の構成を説明する図である。
【図４】利用者による演奏を録音すると共にその録音された演奏録音を再生するために図１のカラオケ装置に備えられた構成を説明する図である。
【図５】図４の演奏音音量調節部４８における演奏音の増幅率の時間変化を例示する図である。
【図６】図５の演奏音の増幅率の時間変化に応じて設定される入力増幅率変更手段における入力増幅率の時間変化を例示する図である。
【図７】図５の演奏音の増幅率の時間変化及び図６の入力増幅率の時間変化に応じて算出される出力増幅率の理想値である増幅率記録を例示する図である。
【図８】図５の演奏音の増幅率の時間変化及び図６の入力増幅率の時間変化に応じて設定される出力増幅率の時間変化を例示する図である。
【図９】図１のカラオケ装置のＣＰＵによる演奏録音・再生制御の要部を説明するフローチャートである。
【符号の説明】
【００５４】
１０：カラオケ装置（音楽再生装置）
２２：マイクロフォン（音声入力装置）
４０：シンセサイザ（音源）
４８：演奏音音量調節部（演奏録音音量調節部）
５２：音声音量調節部
５４：合成部
６０：録音部
６６：スイッチ（切換装置）
６８：入力増幅率変更手段
７０：出力増幅率変更手段
【図１】
2006184684.tif 000003
【図２】
2006184684.tif 000004
【図３】
2006184684.tif 000005
【図４】
2006184684.tif 000006
【図５】
2006184684.tif 000007
【図６】
2006184684.tif 000008
【図７】
2006184684.tif 000009
【図８】
2006184684.tif 000010
【図９】
2006184684.tif 000011